(57)【特許請求の範囲】
【請求項１】
液透過性の表面層、液不透過性の防漏層及び両層間に介在された液保持性の吸収層を有する吸収性物品において、前記防漏層が通気性を有しており、且つ、前記防漏層が、疎水性を有する熱可塑性樹脂の繊維を結合させてなるシートからなる疎水性の繊維集合体と、疎水性で且つ通気性を有するフィルム又は該疎水性の繊維集合体と同種又は異種の繊維集合体と、これらの間に介在されている制臭剤とを含む吸収性物品。
【請求項２】
前記防漏層における前記制臭剤の配合量が、該防漏層の重量の５〜７０重量％であり、前記防漏層における制臭剤の散布坪量が５〜１５０ｇ／ｍ2である請求項１記載の吸収性物品。
【発明の詳細な説明】
【０００１】
【発明の属する技術分野】
本発明は、生理用ナプキン、使い捨ておむつ、失禁パッド、パンティライナー、ペット用シート等の吸収性物品に関し、更に詳しくは着装内のムレが防止され且つ吸収した液から発生する悪臭の制臭効果の高い吸収性物品に関する。
【０００２】
【従来の技術及び発明が解決しようとする課題】
吸収性物品の防漏層を透湿化し、着用中の濡れ感、ムレ感を無くすと共に皮膚の含水膨潤を抑制して皮膚トラブルの発症を抑える手法は、ベビー用おむつ、大人用おむつ、失禁パッド、パンティライナー等の分野で用いられている。この方法によれば水蒸気が吸収性物品の外に排出され、着装内の湿度が低下するが、水蒸気と共に様々な臭い成分も排出される結果、透湿性を有さない防漏層を有する吸収性物品に比して臭いの不快さが増してしまう。
【０００３】
国際公開ＷＯ９７／４８３６２には、通気性を有する防漏層と消臭剤を用いた吸収性物品が記載されている。この吸収性物品においては、消臭剤が吸収体中に含まれている。しかし、吸収された液から発生した悪臭を、吸収体中に含まれている消臭剤によって完全に消臭することは出来ないので、悪臭が防漏層を通過して着装外に放出されてしまう。
【０００４】
従って、本発明は、吸収した液から発生する悪臭の消臭機能と透湿機能とが両立した吸収性物品を提供することを目的とする。
【０００５】
【課題を解決するための手段】
本発明は、液透過性の表面層、液不透過性の防漏層及び両層間に介在された液保持性の吸収層を有する吸収性物品において、前記防漏層が通気性を有しており、且つ、前記防漏層が、疎水性を有する熱可塑性樹脂の繊維を結合させてなるシートからなる疎水性の繊維集合体と、疎水性で且つ通気性を有するフィルム又は該疎水性の繊維集合体と同種又は異種の繊維集合体と、これらの間に介在されている制臭剤とを含む吸収性物品を提供することにより上記目的を達成したものである。
【０００６】
【発明の実施の形態】
以下本発明を、その好ましい実施形態に基づき図面を参照しながら説明する。図１には本発明の吸収性物品の一実施形態としての生理用ナプキンの幅方向断面図が示されている。
【０００７】
この生理用ナプキン１は、実質的に縦長の形状をしており、液透過性の表面層としてのトップシート２、液不透過性の防漏層としてのバックシート３、及び両シート間に介在された液保持性層の吸収層としての吸収体４を備えている。
【０００８】
バックシート３は通気性、好ましくは水蒸気透過性を有している。これによりナプキン１を装着した場合に着装内の湿度の上昇が防止され、快適な装着感が得られる。バックシート３の水蒸気透過性の程度は、ＪＩＳ  Ｚ０２０８に従い測定された透湿度（以下、透湿度というときはこの方法により測定されたものをいう）が、好ましくは０．７ｇ／（１００cm2 ・hr）以上、更に好ましくは１．０〜５．０ｇ／（１００cm2 ・hr）、一層好ましくは１．５〜3 ．０ｇ／（１００cm2 ・hr）であることが、着装内の湿度の上昇防止の点から好ましい。また、水蒸気のみ透過し、悪臭物質等の他の気体の透過を妨げる観点から、バックシート３の通気性の程度は、ＪＩＳ  Ｐ８１１７に従い測定された透気度（以下、透気度というときはこの方法により測定されたものをいう）が３０ｍｌ／秒以下、特に１５ｍｌ／秒以下であることが好ましい。
【０００９】
バックシート３には制臭機能が付与されており、本実施形態においては、バックシート３は疎水性で且つ通気性を有するフィルム５、疎水性の繊維集合体６、及び該フィルム５と該繊維集合体６との間に介在された制臭剤の層７とから構成されている。そしてバックシート３は、前記フィルム５側がナプキン１の外方を向くように配されている。バックシート３に制臭機能が付与されていることにより、吸収された液から発生した悪臭がバックシート３によって制臭され、バックシート３を通して外部に発散することが効果的に防止される。しかも、水蒸気は透過することから、着装内の湿度の上昇が防止され快適な装着感が得られる。尚、図１においては、理解の助けとするため、制臭剤の層７の厚みは誇張して描かれている。
【００１０】
バックシート３が繊維集合体６を有することにより、バックシート全体の強度を高めることができるので、フィルム５を薄くしたり或いはフィルム５の微細孔の数を増やして、バックシートの通気性を高めることができるという効果が奏される。特に、疎水性の繊維集合体６をバックシート３の吸収体４側に配することにより、吸収された液の繊維集合体６への浸入が少なくなるので、制臭剤７が液で濡れ難くなり制臭能力の低下が少なくなる。また、吸収された経血等の液がフィルム５を通じて裏面側から見え難くなり、外観の印象が良好となる。
【００１１】
フィルム５としては、液不透過性で且つ通気性、好ましくは水蒸気透過性を有し、疎水性のフィルムが用いられる。斯かるフィルム５の例には、疎水性の熱可塑性樹脂と炭酸カルシウム等からなる微小な無機フィラーとを溶融混練してフィルムを形成し、該フィルムを一軸又は二軸延伸して得られる多孔性フィルム等が挙げられるが、これに限定されるものではない。フィルム５の透湿度は、好ましくは０．７ｇ／（１００cm2 ・hr）以上、更に好ましくは１．０〜５．０ｇ／（１００cm2 ・hr）、一層好ましくは１．５〜３．０ｇ／（１００cm2 ・hr）である。
【００１３】
繊維集合体６としては、疎水性の繊維を結合させてなるシートが用いられる。斯かるシートとしては、特に親水化処理を施さなくても疎水性を有する熱可塑性樹脂の繊維からなるシート、例えばポリエチレン繊維、ポリプロピレン繊維、ポリエステル繊維、ポリエチレンとポリプロピレンとの複合繊維、ポリエチレンとポリエステルとの複合繊維等からなるシートが挙げられる。これらの繊維を結合させてシート化する方法としては、従来公知の不織布の製造方法が挙げられる。例えば、(a) 乾式又は湿式で上記繊維のウエブを形成した後、熱風貫通又はヒートロール等の熱接着手段により繊維を結合する方法、(b) 乾式又は湿式で上記繊維のウエブを形成した後、水流交絡等の機械的絡合により繊維を結合する方法、(c) 溶融樹脂から繊維形成とシート形成とを同時に行い繊維を溶融結合する方法等がある。繊維集合体６の液不透過性を高める点からは(c) の方法を用いることが好ましい。(c) の方法を用いる場合、繊維集合体６としてメルトブローン不織布若しくはスパンボンド不織布又はこれらの２種以上の積層体を含むものを用いることが好ましく、特にメルトブローン不織布若しくは繊維径が２デニール未満のスパンボンド不織布又はこれらの２種以上の積層体を含むものを用いることが更に好ましい。
【００１４】
制臭剤の層７を構成する制臭剤とは、悪臭を吸収する消臭剤及び脱臭剤、悪臭の発生を防止する防臭剤、悪臭を他の臭いでマスキングする芳香剤等の悪臭を抑制する物質一般を意味する。
【００１５】
例えば、防臭剤としては、銀、亜鉛、銅などの金属イオンを含むキレート剤、及びこれらの金属イオンを担持する物質（例えば金属イオン含浸ゼオライト）などが挙げられる。
【００１６】
消臭剤及び脱臭剤としては、(1) 中性活性炭、繊維化炭素吸着剤、ゼオライト、アモルファスシリカ、ベントナイト等の粘土鉱物、活性アルミナ及び酸性白土等の物理吸着脱臭剤、(2) 酸性剤、アルカリ性剤、酸化剤及び還元剤等の化学脱臭剤、(3) アルカリ性または酸性添着活性炭、植物性精油を吸着させたゼオライト等の物理・化学脱臭剤、並びに(4) 鉄フタロシアニン誘導体、酸化亜鉛等の脱硫作用を有する塩、鉄（II）化合物をＬ−アスコルビン酸とミョウバンとの混合物などが挙げられる。
【００１７】
芳香剤としては、(1) アルコール系香料、単糖類、オリゴ糖類及び多糖類からなる配糖体等の香料の配糖体、(2) グリセリンとカルボン酸系香料（安息香酸、桂皮酸など）とのモノグリセライド、ジグリセライド及びトリグリセライド等のグリセリド、(3) アルコール系香料、カルボン酸系香料又はアミン系香料（インドール、スカトールなど）のアミノ酸誘導体又はペプチド誘導体などが挙げられる。
【００１８】
フィルム５と繊維集合体６との間に制臭剤の層７を形成する方法としては、(1) 繊維集合体６上に制臭剤を所定量散布し、その上にフィルム５を単に重ね合わせる方法、(2) 前記(1) の方法で重ね合わせた後にヒートロール等の加熱手段によりフィルム５と繊維集合体６とを熱接着する方法、(3) 繊維集合体６上にホットメルト粘着剤を塗布し、その上に制臭剤を所定量散布し、その上にフィルム５を重ね合わせて繊維集合体６とフィルム５とを接合する方法等がある。
【００１９】
バックシート３における制臭剤の配合量は、その種類にもよるが、バックシート３の重量の５〜７０重量％、特に２０〜６０重量％であることが、所望の制臭効果を得る上での制臭剤の必要量と、バックシート本来の漏れ防止性及び破れにくさを維持する為のシートとしての強度の必要量とのバランスの点から好ましい。また、バックシート３における制臭剤の散布坪量は、５〜１５０ｇ／ｍ2 、特に１０〜６０ｇ／ｍ2 であることが、バックシートの透湿（透気）性能によって着装外に排出されるガスのうち悪臭成分のみを素早く吸収して着装外に出さないようにし得る点から好ましい。
【００２０】
バックシート３としては上記実施形態のものの他に、以下のもの等を用いることができる。例えば、(1) 前記疎水性の繊維集合体と同種又は異種の疎水性の繊維集合体との間に制臭剤の層を介在させてなるバックシートを用いることもできる。更に、(2) 前記疎水性の繊維集合体と同種又は異種の疎水性の繊維集合体との間に制臭剤の層を介在させ、且つ何れか一方の繊維集合体の表面に疎水性で且つ通気性を有するフィルムを積層してなるバックシートを用いることもできる。
【００２１】
前記(1) の構成のバックシート３を用いると、制臭剤の分散及び繊維集合体との複合化が容易で、強度のあるバックシートを形成しやすいという利点がある。また前記 (2) の構成のバックシート３を用いると、制臭剤の分散及び繊維集合体との複合化が容易で、且つ液の裏面へのしみ出しを防止しやすいという利点がある。
【００２４】
本発明は上記実施形態に制限されず、例えばトップシート２及びバックシート３の配置形態は図１に示す形態以外に、バックシート３が吸収体４の裏面及び側面並びに上面の両側部を被覆し、更にこれらの全体をトップシート２が被覆するような形態でもよい。
また、本発明の吸収性物品を、生理用ナプキンの他、使い捨ておむつ、失禁パッド、パンティライナー、ペット用シート等に適用してもよい。
【００２５】
〔実施例１〕
坪量３０ｇ／ｍ2 のポリプロピレン製スパンボンド不織布（２デニール）上にホットメルト粘着剤を坪量７ｇ／ｍ2 でスパイラル状に塗布し、その上に表１に示す制臭剤を同表に示す散布坪量で散布した。更にその上に、透湿度１．９ｇ／（１００cm2 ・hr）の多孔性フィルム（炭酸カルシウム含有ポリエチレンフィルム、坪量４０ｇ／ｍ2 ）を重ね合わせ、前記スパンボンド不織布と接合固定して、液不透過性で且つ水蒸気透過性のバックシートを得た〔透湿度１．９ｇ／（１００cm2 ・hr〕。
【００２６】
前記バックシートにおけるスパンボンド不織布上に、２５０ｇ／ｍ2 のフラッフパルプと４０ｇ／ｍ2 の高吸収性ポリマーとの混合物を吸収紙で包んでなる吸収体を配置し、その上に乾式・熱風貫通法にて形成した不織布（ポリエチレンテレフタレート／ポリエチレンの芯鞘繊維、２デニール）からなるトップシートを重ね合わせた。そして、吸収体の周縁から延出するバックシート及びトップシートをヒートシールによって接合固定して、図１に示す構造の生理用ナプキンを得た。
【００２７】
〔実施例２〕
坪量２０ｇ／ｍ2 のポリプロピレン製メルトブローン不織布上に、表１に示す制臭剤を同表に示す散布坪量で散布した。更にその上にポリプロピレン製メルトブローン不織布を坪量２０ｇ／ｍ2 で形成した。一方のメルトブローン不織布の表面上に、ホットメルト粘着剤を坪量７ｇ／ｍ2 でスパイラル状に塗布し、その上に実施例１で用いた多孔性フィルムを重ね合わせ、前記メルトブローン不織布と接合固定して、液不透過性で且つ水蒸気透過性のバックシートを得た。このバックシートは、多孔性フィルム／メルトブローン不織布／制臭剤の層／メルトブローン不織布の構造を有するものであり、その透湿度は１．９ｇ／（１００cm2 ・hr）であった。
【００２８】
前記バックシートにおけるメルトブローン不織布上に実施例１と同様の吸収体を配置し、その後は実施例１と同様の方法により図１に示す構造の生理用ナプキンを得た。
【００３０】
このバックシート上に実施例１で用いた吸収体を配置し、吸収体の両側縁から延出するバックシートを吸収体の上面側に巻き上げ、吸収体上面の両側縁を被覆した。更にこれら全体を実施例１で用いたトップシートで包み、吸収体の前後端から延出するトップシート及びバックシートをヒートシールによって接合固定して生理用ナプキンを得た。
【００３１】
〔比較例１〕
実施例１で用いた多孔性シートをバックシートとして用いる以外は実施例１と同様の方法で生理用ナプキンを得た。この生理用ナプキンは透湿機能は有するが制臭機能を有さないものである〔透湿度１．９ｇ／（１００cm2 ・hr）〕。
【００３２】
〔比較例２〕
実施例１で用いた多孔性シートをバックシートとして用いた。また、吸収体として、２５０ｇ／ｍ2 のフラッフパルプと４０ｇ／ｍ2 の高吸収性ポリマーと表１に示す散布坪量の制臭剤との混合物を吸収紙で包んでなるものを用いた。これ以外は実施例１と同様の方法で生理用ナプキンを得た。この生理用ナプキンは吸収体に制臭機能を有するものである〔バックシートの透湿度１．９ｇ／（１００cm2 ・hr）〕。
【００３３】
実施例及び比較例で得られた生理用ナプキンの制臭性能を以下の方法により評価した。その結果を表１に示す。
【００３４】
＜制臭性能評価＞
実施例及び比較例で得られた生理用ナプキンを、生理用ショーツを用いて可動式人体モデルに装着させた。次いで可動式人体モデルを、１００歩／分（５０ｍ／分）の歩行速度で歩行させた。その後歩行させながら、生理食塩水５ｍｌ中にジエチルアミン１００μｌを入れた溶液をナプキン中に５ｍｌ注入し、同じ速度で３０分間歩行させた。無作為に選定した２５名のモニターに試験サンプルより約１０ｃｍの距離に鼻を近づけ臭いを嗅いでもらい、以下の基準で評価してもらった。結果は、計２５名の平均点で表した。点数は、その値が小さければ小さい程、臭いが吸収されており、制臭効果が高いことを意味する。
【００３５】
評価基準
１点・・・臭いがしない。
２点・・・わずかに臭いがするが気にならない。
３点・・・やや不快な臭いがする。
４点・・・不快な臭いがする。
【００３６】
【表１】
0003789256.tif 000002
【００３７】
表１に示す結果から明らかなように、実施例１及び２の生理用ナプキン（本発明品）は、比較例１及び２の生理用ナプキンに比して、使用中、持続的に着装外に漏れ出す臭いを抑え、他人に臭いを気づかれない制臭効果が高く、臭いがしないか或いは臭いが気にならないレベルまで制臭されており、透湿機能と制臭機能とが両立していることが判る。
【００３８】
【発明の効果】
本発明によれば、吸収した液の消臭機能と透湿機能とが両立した吸収性物品が提供される。
【図面の簡単な説明】
【図１】本発明の吸収性物品の一実施形態としての生理用ナプキンの幅方向断面図である。
【符号の説明】
１  生理用ナプキン
２  トップシート
３  バックシート
４  吸収体
５  フィルム
６  繊維集合体
７  制臭剤の層
【図１】
0003789256.tif 000003